Podtech/llm-jp-corpus-v4-ja_patent huggingface dataset:
(57)【要約】【課題】ネックレスを付ける場合長さが合っていなくて使えない場合がある。首の後ろであっても簡単に安価にそれができれば、経済的でもっと手軽におしゃれが出来る。【解決手段】クリップなので、見えなくても手探りで、ワンタッチ装着が出来る。ネックレスの構造上１本歯クリップにすることで、玉と玉の間にクリップの歯が入るので玉に圧力がかかりにくく、玉を傷つけにくい。また、玉と玉の間にクリップの歯が入る構造上、玉の大きさひとつ分挟めれば、紐に圧力はかかっても使うことが出来るので、大きさ、デザインのの違いがあっても融通が利いて使えて、経済的である。クリップの背に装飾をすることで、美意識を満足させることが出来、傷つきにくい素材で作ると良いが、やわらかい素材をクリップの歯を巻くとか、クリップの内側に貼るとかで、ネックレスの傷むのを防ぐことが出来る。【選択図】図１
2011056236.tif 000002
【特許請求の範囲】
【請求項１】
この発明でネックレスを短く使うことができると言うことです。
【請求項２】
ネックレスの構造上一本歯クリップがネックレスの玉の大きさにも対応して長さを固定することが出来る。
【請求項３】
クリップをやわらかい素材で巻いたり貼り付けたりすることで、ネックレスを守ることが出来る。
【請求項４】
クリップの背や金属紐に装飾を施すことで、おしゃれの幅を増やすことが出来る。
【発明の詳細な説明】
【技術分野】
【０００１】本発明は、ネックレスの長さを簡単に短く調節し、洋服に応じて使い分け、美意識と経済面を満足させるのに役立つものである。
【背景技術】
【０００２】ネックレスを短く使うためのものは市場では見かけなかった。
【先行技術文献】
【特許文献】
【０００３】  特開  ２００４−２３６９４１  長さを調節可能な装身具
特開  ２００５−０６５８０４  長さを調節できるネックレス等の装身具
【発明の概要】
【発明が解決しようとする課題】
【０００４】  ネックレスのデザインが洋服に合っていても長さが合わないと、使えない。首の後ろで１人で着けることを考えた場合、簡単に装着できることが大事である。また、いろんなサイズに対応できれば面倒が無く経済的である。構造が簡単であれば作りやすく、安い値段で手に入れることができる。ネックレスを傷つけにくく安価で誰にでも簡単に使えるこのクリップは、この課題を解消するためになされたものである。
【課題を解決するための手段】
【０００５】  クリップであれば、見えなくても手探りで、ワンタッチ装着が出来る。首は肩より前にあるので、上着を着てもクリップの指で持つ部分が当たって困ると言うことが無い。ネックレスの構造上１本歯クリップにすることで、玉と玉の間にクリップの歯が入るので玉に圧力がかかりにくく、玉を傷つけにくい。また、玉と玉の間にクリップの歯が入る構造上、玉の大きさひとつ分挟めれば、紐に圧力はかかっても使うことが出来るので、大きさ、デザインのの違いがあっても融通が利いて使える。安全を考えれば大中小を備えるだけで、守備範囲が広がり、少しのクリップで使えるネックレスの数が増えて、経済的である。クリップの背に装飾をすることで、美意識を満足させることが出来、傷つきにくい素材で作ると良いが、やわらかい素材をクリップの歯を巻くとか、クリップの内側に貼るとかで、ネックレスの傷むのを防ぐことが出来る。
【発明の効果】
【０００６】ネックレスが服に応じた長さで使うことにより、美的になる。ネックレスの留め金をはずしたり、輪のままでつかったりしてバックをおしゃれにしたり、上着を着て隠して使うことも出来る。装飾によっては、前で止めて使うのもポイントになるかもしれない。何通りにも使えることで、経済的で、おしゃれの幅が広がる。安価に簡単に作ることが出来るので、欲しい人は容易に手に入れることが出来るようになる。
【図面の簡単な説明】
【図１】斜め横から見た図
【図２】下から見た図
【発明を実施するための形態】
【０００７】以下本発明の実施の形態について説明する。
小さい１本歯のクリップでネックレスを固定する。
素材は石などを傷つけないような素材を使うなど、ネックレスを傷つけないように考慮する。
【符号の説明】１  クリップ本体
２  とめピン
３  ばね
【図１】
2011056236.tif 000003
【図２】
2011056236.tif 000004
(57)【要約】【課題】  本発明は、テニスの試合の組み合わせの順番をスムースにきめ、プレーが早々にできるようにするためのテニス試合の組み合わせ用３点セットを提供する。【解決手段】  テニスボール入れケースの外筒（１）中に、組み合わせ表（３）が外から見えるように丸めて挿入し、手を離すと用紙は自然にケース内側に貼り付き、さらに、その用紙の内側にプラスチックフィルムを円筒状に丸めて内筒（２）を挿入し、用紙をケース内側との間に挟み込むように貼り付かせ、ケース外側に回転できるカーソル（４）を取り付け、カーソル（４）の適所に一カ所組み合わせ該当枠を設け、このように用意されたケースの中に、テニスボール（５）と袋（６）に入れたくじ棒（７）を収容することを特徴とするテニス試合の組み合わせ用三点セット。【選択図】図１
2011056233.tif 000002
【特許請求の範囲】
【請求項１】
テニスボール入れケースの外筒（１）中に、組み合わせ表（３）が外から見えるように丸めて挿入し、手を離すと用紙は自然にケース内側に貼り付き、さらに、その用紙の内側にプラスチックフィルムを円筒状に丸めて内筒（２）を挿入し、用紙をケース内側との間に挟み込むように貼り付かせ、ケース外側に回転できるカーソル（４）を取り付け、カーソル（４）の適所に一カ所組み合わせ該当枠を設け、このように用意されたケースの中に、テニスボール（５）と袋（６）に入れたくじ棒（７）を収容することを特徴とするテニス試合の組み合わせ用三点セット。
【発明の詳細な説明】
【技術分野】
【０００１】  本発明は、テニスの試合の組み合わせの順番をスムースにきめ、プレーが早々にできるようにするためのテニス試合の組み合わせ用３点セットに関するものである。
【背景技術】
【０００２】  従来、用具をワンセットにまとめたものはなかった。
別々に持ち運ばなくてはならず不便であった。
【発明の概要】
【発明が解決しようとする課題】
【０００３】  そのために、次のような問題点がある。
従来、組み合わせ表、ボールを別々に持ち運び組み合わせをスムースに決めることが困難であった。
本発明は、これらの問題点を解決されるためになされたものである。
【課題を解決するための手段】
【０００４】  テニスボール入れケースの外筒（１）中に、組み合わせ表（３）が外から見えるように丸めて挿入し、手を離すと用紙は自然にケース内側に貼り付き、さらに、その用紙の内側にプラスチックフィルムを円筒状に丸めて内筒（２）を挿入し、用紙をケース内側との間に挟み込むように貼り付かせ、ケース外側に回転できるカーソル（４）を取り付け、カーソル（４）の適所に一カ所組み合わせ該当枠を設け、このように用意されたケースの中に、テニスボール（５）と袋（６）に入れたくじ棒（７）を収容する。
以上のように構成されたテニス試合の組み合わせ用３点セットである。
【発明の効果】
【０００５】  ３点セット、ボール、組み合わせ表、クジ棒の持ち運びが容易で、プレーがスムースにできる。
ケースの外側のカーソルを自由に回転あるいは上下移動させるだけで、組み合わせバリエーションと順番が一目瞭然である。
ケースの中の組み合わせ表の紙は、プラスチックフィルムにカバーされ守られているので中に収容されたボール等によって縮んだり濡れたりすることもない。
【図面の簡単な説明】
【０００６】
【図１】  本発明の斜視図である。
【図２】  本発明の袋、くじ棒の説明図である。
【図３】  本発明の分解斜視図である。
【図４】  本発明の分解斜視図である。
【発明を実施するための形態】
【０００７】  以下、本発明の形態について説明する。
テニスボール入れケースの外筒（１）中に、組み合わせ表（３）が外から見えるように丸めて挿入する。
手を離すと用紙は自然にケース内側に貼り付き、さらに、その用紙の内側にプラスチックフィルムを円筒状に丸めて内筒（２）を挿入する。
用紙をケース内側との間に挟み込むように貼り付かせ、ケース外側に回転できるカーソル（４）を取り付ける。
カーソル（４）の適所に一カ所組合せ該当枠を設ける。
このように用意されたケースの中に、テニスボール（５）と袋（６）に入れたくじ棒（７）を収容することを特徴とするテニス試合の組み合わせ用三点セットである。
本発明は以上のような構造である。
本発明を使用するときは、試合を始める前に、各自くじを引いて、自分の番号を確認するカーソルを自由に移動させ組み合わせ該当枠を該当人数の欄に合わせれば、その組み合わせのバリエーションと順番が一目でわかる。
このような３点セットケースの中にテニスボールと袋に入れたくじ棒が収めてある。
紙はプラスチックフィルムでカバーされているので収容物によって痛むこともない。
【符号の説明】
【０００８】    １  外筒
２  内筒
３  組み合わせ表
４  カーソル
５  テニスボール
６  袋
７  くじ棒
【図１】
2011056233.tif 000003
【図２】
2011056233.tif 000004
【図３】
2011056233.tif 000005
【図４】
2011056233.tif 000006
(57)【要約】【課題】小型の歯清掃具を収納するとき、通常の歯ブラシに取り付けて歯ブラシ立てやコップに一緒に収納できるようにするために、また、使用中に流し台に置いてもブラシやフロス部分が洗面台に接触しないようにするために、小型の歯清掃具の柄に、挟める突起を設けた、挟める突起付き小型歯清掃具を提供する。【解決手段】小型の歯清掃具の柄（１）に、挟める突起（２）を設けた挟める突起付き小型歯清掃具を特徴とする。【選択図】図１
2011056237.tif 000002
【特許請求の範囲】
【請求項１】
小型の歯清掃具の柄（１）に、挟める突起（２）を設けた、挟める突起付き小型歯清掃具
【発明の詳細な説明】
【技術分野】
【０００１】  この発明は、小型の歯清掃具の柄に、挟める突起を設けた、挟める突起付き小型歯清掃具に関するものである。
【技術背景】
【０００２】  従来、小型の歯清掃具の柄は棒状で、物を引っ掛けたり、物を挟んだりすることを目的とした突起はついていない。
【発明の開示】
【発明が解決しようとする課題】
【０００３】  これは、次のような欠点があった。
一般的な歯ブラシは、歯ブラシ立てやコップ等に立てて収納できるが、小型の歯清掃具（歯間ブラシや柄つきフロス）は収納場所が無く、洗面台に置いてしまうために、ブラシやフロス部分が洗面台に接触してしまい、歯に直接蝕れる部分に洗面台の雑菌が付着して、不衛生であった。
また、収納場所が一定でないために、次に使用するときに見つけにくく、困ることが多かった。
本発明は、以上のような欠点をなくすためになされたものである。
【課題を解決するための手段】
【０００４】  小型の歯清掃具の柄（１）に、挟める突起（２）を設ける。
本発明は、以上の構成よりなる、挟める突起付き小型歯清掃具である。
【発明の効果】
【０００５】  小型の歯清掃具の柄（１）に、挟める突起（２）を設けたことで、通常の歯ブラシの柄（４）に取り付け、歯ブラシ立てやコップ（５）に立てて、一緒に収納できる。
次に使用するときも通常の歯ブラシの柄（４）に取り付けてあるので、探す手間が省ける。
また、形状を工夫することで自立でき、使用中に流し台に置いてもブラシやフロス部分が洗面台に接触しないため、衛生的である。
【発明を実施するための最良の形態】
【０００６】  以下、本発明を実施するための最良の形態について説明する。
小型の歯清掃具の柄（１）に、一体成型、もしくは接着などの手段を用いて、挟める突起（２）を形成する。
あるいは、挟める突起がついた部品（３）をはめ込み式にして、取り外し可能にしてもよい。
本発明は、以上のような構造である。
これを使用するときは、挟める突起（２）や、挟める突起がついた部品（３）を用いて、通常の歯ブラシの柄（４）に取り付けて、（図３）に示すように、通常の歯ブラシと一緒に、歯ブラシ立てやコップ（５）に立てて収納する。
また、使用途中に作業を中断するときは、挟める突起（２）や、挟める突起がついた部品（３）の部分を接地させて（図４）に示すように、ブラシやフロス部分が洗面台に接触しないように置くことができる。
【図面の簡単な説明】
【０００７】
【図１】本発明の斜視図である。
【図２】本発明の斜視図である。
【図３】本発明の斜視図である。
【図４】本発明の側面図である。
【符号の説明】
【０００８】１  小型歯清掃具の柄
２  挟める突起
３  挟める突起がついた部品
４  通常の歯ブラシの柄
５  歯ブラシ立てやコップ
【図１】
2011056237.tif 000003
【図２】
2011056237.tif 000004
【図３】
2011056237.tif 000005
【図４】
2011056237.tif 000006
(57)【要約】【課題】調理器具または食品保管容器を使用して内容物を保存する際、従来のようにネジ式、圧着具式、等々機械的装置を利用することは、部品点数の増加を伴うことや、業務用等の大型器具または容器では実現が困難である点など、十全な方法ではない。【解決手段】  当該器具または容器の本体と蓋の接する縁の部分に、矩形シールまたはフラップシール等に代表される、自己シール性を有する構造を具備することにより、内部の減圧によって密閉可能とする構造を採用する。  また、弁機構を具備し、当該弁機構の開放によって内外差圧を減じることにより、容易な開閉を可能とする。【選択図】図１
2011056235.tif 000002
【特許請求の範囲】
【請求項１】
蓋を有する、調理器具または食品保管容器において、本体と縁の接する部分に自己シール性を有する構造を具備することにより、内部の減圧によって密閉可能とする構造。
【請求項２】
請求項１に係る、調理器具または食品保管容器において、弁機構を具備し、内外差圧を減じることにより、容易な開閉を可能とする構造。
【発明の詳細な説明】
【技術分野】
【０００１】  本発明は、蓋を有する、調理器具または食品保管容器に関する。
【背景技術】
【０００２】  調理器具または食品保管容器を使用し、内容物を保存する際、当該器具または容器は蓋を具備し、密閉する機能を必要とする場合が多い。
【発明の概要】
【発明が解決しようとする課題】
【０００３】  従来の技術によれば、当該器具または容器は、密閉機能のためにネジ式、圧着具式、等々機械的装置を具備することが一般的であるが、部品点数の増加を伴うことや、業務用等の大型器具または容器では実現が困難である点など、十全な方法ではない。
【課題を解決するための手段】
【０００４】  以上の課題を解決するため、当該器具または容器の本体と蓋の接する縁の部分に、矩形シールまたはフラップシール等に代表される、自己シール性を有する構造を具備することにより、内部の減圧によって自動的に密閉可能とする構造を採用する。
また、この構造の採用に伴う必要性として、当該蓋と比較して相当小型なネジ・ポペット等を利用した弁機構を具備する構造とし、当該弁機構の開放によって内外差圧を減じることにより、容易な開閉を可能とすることも、本手段の一部である。
【発明の効果】
【０００５】  本発明の構造によれば、たとえば調理直後、当該調理器具または食品保管容器の内容物が常温より充分に高い温度のときに蓋をすると、温度の低下によって内部が減圧し、蓋が大気圧によって圧迫されることにより、当該器具または容器は密閉される。
このとき、当該器具または容器の本体と蓋の接する縁の部分には、自己シール性を有する構造を具備しているため、この状態は長期にわたって継続し、内容物を良好な衛生状態で保存することが可能である。
従来の技術によるネジ式、圧着具式、等々機械的装置による場合と比較すると、本発明に係る器具または容器の構造は、きわめて簡素かつ単純である。
さらに、蓋を開く際も、弁機構の開放によって内外差圧を減じることにより蓋は圧迫されなくなるので、開閉は容易である。
また特に、大量の揚げ油を長期使用する業務用フライヤーのように、油の酸化防止のために密閉機能が望まれながらも大型で長方形のため従来技術では困難である場合でも、本発明の構造によれば密閉が可能であり、かつ、使用直後に移動せずに密閉できるため、きわめて大きく利便性に寄与する。
同時に、容易に類推されるように、調理後の温度の低下を利用する以外にも、真空ポンプ等の別途器具によって内部を積極的に減圧して、同様の密閉状態を得ることも、可能である。
【発明を実施するための形態】
【０００６】  以下、本発明の実施のさまを、図面を参照して説明する。
【図面の簡単な説明】
【０００７】
【図１】は、本発明の構造による調理器具または食品保管容器の代表断面図である。ちなみに、０００５項「発明の効果」に例示される業務用フライヤーのごとく、当該器具または容器の本図と垂直に図示される形状は、必ずしも円形とは限らない。
【図２】は、図１上に図示された、当該器具または容器の本体と蓋の接する縁の部分の拡大図で、自己シール性を有する構造の一例である。
【図３】は、図２と同様の拡大図で、自己シール性を有する構造の別案的一例である。
【図４】は、図２と同様の拡大図で、自己シール性を有する構造の別案的一例である。
【図５】は、弁機構の部分の拡大図の一例である。
【符号の説明】
【０００８】（１）調理器具または食品保管容器の本体
（２）調理器具または食品保管容器の蓋
（３）本体と蓋の接する縁の部分
（４）弁機構
（５）矩形シール
（６）フラップシール
（７）フレアシール
（８）ネジ
（９）弁シール
【実施例】
【０００９】  本発明の構造による調理器具または食品保管容器は、（１）調理器具または食品保管容器の本体および、（２）調理器具または食品保管容器の蓋で構成される。この２つの部分は（３）本体と蓋の接する縁の部分で接触するが、この部分に（５）矩形シール・（６）フラップシール・（７）フレアシール等、自己シール性を有する構造が具備されているので、調理後の放熱等によって内部が減圧された場合には、自動的に密閉される。
また、当該自己シール性を有する構造は、器具または容器内外の圧力差が大きいほど強く押し付けられる性質を特徴とするために性能が形状精度・表面状態に依存する割合が低く、安価・確実なシール方法である。
（４）弁機構は（８）ネジの締付け軸力で（９）弁シールの裏表を圧迫して密閉されるので、この（８）ネジを緩めることにより器具または容器内外が通じて（２）調理器具または食品保管容器の蓋を圧迫している圧力差がなくなり、（３）本体と蓋の接する縁の部分の自己シール性も喪失するため、（２）調理器具または食品保管容器の蓋は抵抗なく容易に開閉が可能になる。
なお、（１）調理器具または食品保管容器の本体は、調理中に高温となることが考えられるので、（５）矩形シール・（６）フラップシール・（７）フレアシールは、（２）調理器具または食品保管容器の蓋に付属していることが望ましい。
【図１】
2011056235.tif 000003
【図２】
2011056235.tif 000004
【図３】
2011056235.tif 000005
【図４】
2011056235.tif 000006
【図５】
2011056235.tif 000007
(57)【要約】【課題】妻ようじが家庭でいらなくなる【解決手段】歯ブラシの柄に歯石取りをうめこみ  その歯石取りを覆うキャップを歯ブラシの柄に取り付けたことを特徴とする歯ブラシ【選択図】図１
2011056238.tif 000002
【特許請求の範囲】
【請求項１】
歯ブラシの柄に歯石取りをうめこみその歯石取りを覆うキャップを歯ブラシの柄に取り付けたことを特徴とする歯ブラシ。
【発明の詳細な説明】
【技術分野】
【０００１】歯ブラシの柄の先端にチタン製金属からなる歯石取りを設けたことを特徴とする歯ブラシ
歯石取りは先端が細い形状である
【背景技術】
【０００２】従来は歯ブラシで歯を磨き妻ようじを使わなければならなかった
【発明の概要】
【発明が解決するための手段】
【０００３】歯間にたまった食物かすをかき出すものである
【課題を解決するための手段】
【０００４】歯石取りの材質はチタン製
１．歯ブラシ本体（大人用から小供用いろいろな歯ブラシの毛のタイプまでいろいろ）  ２．歯石取りの根本は回転しないように２本横に出ている  ３．歯石取りの材質はチタン製でできている  ４．歯石取りが鋭利なのでキャップをつける
【発明の効果】
【０００５】この発明は以上の搆造で作られたもので歯ブラシの柄にチタン（Ｔｉ）製の歯石取りをうめこみ一体化したものである。従って歯ブラシで取れなかった歯間、歯周の
2011056238.tif 000003
保つ効果を得るものです。
【図面の簡単な説明】
【０００６】
【図１】この特許の側面図
【図２】図１のＡ部詳細の縦断面図
【発明を実施するための形態】
【０００７】発明の効果と同じ
【産業上の利用可能性】
【０００８】歯ブラシ産業一般で利用されるでしょう
【符号の説明】
【０００９】１  歯ブラシ本体
２  歯石取りの根
３  歯石取り
４  キャップ
【図１】
2011056238.tif 000004
【図２】
2011056238.tif 000005
(57)【要約】【課題】美容院でのシャンプー・お流し技術の際、シャンプーボールに首枕としてお客様の首に負担がかからないようにサービスを提供する。【解決手段】首枕のクッションは今までの素材はゴム・低反発ウレタンフォームだが、空気口（１）より空気を入れ、空気の弾力により構成し、首から後頭部までを支えるシャンプー枕として特徴とする。【選択図】図１
2011056234.tif 000002
【特許請求の範囲】
【請求項１】
空気のクッションを応用したシャンプー枕。
【請求項２】
シャンプー枕に空気口（１）を設け、空気を入れることにより、シャンプー枕に空気の弾力性を生かした商品。
【請求項３】
従来のシャンプー枕の長さよりも、さらに長さを設けた後頭部枕（６）が合体したシャンプー枕。
【発明の詳細な説明】
【技術分野】
【０００１】この発明は、美容室でのシャンプー技術の際、お客様の首に使用する首枕に関するものである。
【背景技術】
【０００２】従来のシャンプー枕の素材は、ゴム・低反発ウレタンフォーム。
また、従来の首枕は首一点で支えている為に、頭の重さが首一点に負担がかかり首に痛みを感じる。
【発明が解決使用とする課題】
【０００３】  これは、次のような欠点があった。
イ）従来のシャンプー枕の素材はゴム・低反発ウレタンフォームを使用。
もちろん柔らかい素材ではあるが、お客様の首は、圧迫され疲れを感じる。
ロ）従来のシャンプー首枕は首一点で支えている為に、頭の重さが首一点に負担がかかり首に痛み・疲れを感じる。
ハ）お客様のシャンプー時・お流しの際、イ）ロ）などの原因によりお客様の首の負担の軽減することにより、快適なシャンプータイムを楽しんでいただくことが目的。
【課題を解決するための手段】
【０００４】シャンプー枕のクッションの構成を、空気（エアー）の力でお客様の首を支える。
同時に、形状も首から後頭部まで支える形状によりお客様の首にかかる負担を解決。
本発明は、以上の構成よりなるシャンプー首枕である。
【発明効果】
【０００５】イ）従来のシャンプー枕に無かった素材、空気クッションの自由な弾力でお客様一人ひとりの首の形に即した形状のシャンプー枕となり、首に与える圧迫感が減少する。
ロ）後頭部を同時に支える空気枕を作り出すことにより、お客様の首にかかる負担が飛躍的に少なくなった。
【発明を実施するための形態】
【０００６】以下、本発明を実施するための最良の形態について説明する。
（１）より空気を入れ膨らます。（２）と（３）又は（２）と（４）のボタンの組み合わせにより、シャンプーボールの形状により調節してボタンを留める。
次に、シャンプーボールに吸盤によって固定する。
本発明は、以上のように構造である。
これを使用するときは、美容室でのお客様のシャンプー時に、シャンプーボールに取り付けシャンプー技術をする時に使用すればよい。
【図面の簡単な説明】
【０００７】
【図１】本発明の正面図である。
【図２】本説明の立体図である。
【符号の説明】
【０００８】１  空気口
２  ボタン
３  ボタン
４  ボタン
５  吸盤
６  後頭部枕
【図１】
2011056234.tif 000003
【図２】
2011056234.tif 000004
(57)【要約】【課題】  まな板および包丁を板体の切り欠きに挟み込む形で立てておく台は、まな板の厚さが異なる場合に、対応しにくいものが多く、それぞれの厚さに応じた置き台を求める必要も多い。  そこで、本発明は、本体に組み合せる調整用の板体により、いろいろな厚さのまな板を簡易に置くことができるように工夫したものである。【解決手段】  平行する２枚の板体および直交する２枚の板体で四角形の基体を構成する。  基体の平行する２枚の板体の上部に、まな板を置くための切り欠きおよび包丁を置くための切り欠きを設ける。基体の直交する板体の上部に切り欠きを設け、この切り欠きに付属の調整用の板体を差込み組み合せて使用する。【選択図】図２
2011056232.tif 000002
【特許請求の範囲】
【請求項１】
平行する２枚の板体および直交する２枚の板体で構成される四角形の基体で、平行する２枚の板体の上部に、まな板を置くための切り欠きおよび包丁を置くための切り欠きを設けたもの。
【請求項２】
請求項１の直交する板体の上部に差し込むことによって、厚さの異なるまな板に対応できるよう適切な位置に切り欠きを設けた付属の調整用の板体。
【発明の詳細な説明】
【技術分野】
【０００１】  本発明は、調理中又は調理後に、まな板と包丁を置くための台に関するものである。
【背景技術】
【０００２】  まな板および包丁を仮置きするための台は、いろいろな形態のものが存在するが、簡易な構造で異なる厚さのまな板に対応できるものが少なかった。
【発明の開示】
【発明が解決しようとする課題】
【０００３】  まな板および包丁を板体の切り欠きに挟み込む形で立てておく台は、まな板の厚さがいろいろな場合に、対応しにくいものが多く、それぞれの厚さに応じた置き台を求める必要も多い。
そこで、本発明は、本体に付属する調整用の板体により、いろいろな厚さのまな板を簡易に置くことができるように工夫したものである。
【課題を解決するための手段】
【０００４】  平行する２枚の板体および直交する２枚の板体で四角形の基体を構成する。
基体の平行する２枚の板体の上部に、まな板を置くための切り欠きおよび包丁を置くための切り欠きを設ける。基体の直交する板体の上部に切り欠きを設け、この切り欠きに付属の調整用の板体を差込み組み合せる。
【発明の効果】  コンパクトで簡易な構造でありながら、調整用板体の組み合せ方により、簡単にいろいろな厚さのまな板を置くことができる。
【発明を実施するための最良の形態】
【０００６】  以下本発明の実施の形態を説明する。
（イ）平行する２枚の板体および直交する２枚の板体で四角形の基体（１）を構成する。
（ロ）基体（１）の平行する２枚の板体の上部に、まな板を置くための切り欠き（５）および包丁を置くための切り欠き（６）、（７）を設ける。
（ハ）基体（１）の直交する板体の上部に切り欠き（８）を設け、この切り欠き（８）に付属の調整用の板体（２）を差込み組み合せる。
（二）調整用の板体（２）には、適切な位置に切り欠き（９）を設ける。
本発明は、以上の構成よりなる。
本発明を使用する場合は、基体（１）の切り欠き（８）に調整用の板体（２）の切り欠き（９）を差込む。調整用の板体（２）を上下又は左右逆に差込むなどの組み合せ方によって、いろいろな厚さのまな板に対応できる。
【図面の簡単な説明】
【０００７】
【図１】本発明を使用する場合の斜視図
【図２】本発明の斜視図
【図３】本発明の平面図
【図４】本発明の断面図
【図５】調整用の板体（２）の側面図
【図６】本発明を使用する場合の側面図
【図７】本発明を使用する場合の側面図
【図８】本発明を使用する場合の側面図
【符号の説明】
【０００８】（１）基体、（２）調整用の板体、（３）まな板、（４）包丁、（５）まな板を立てるための切り欠き、（６）包丁の刃を差し込むための切り欠き、（７）包丁の柄を置くための切り欠き、（８）調整用の板体を差し込むための切り欠き、（９）基体に差し込むための切り欠き
【図１】
2011056232.tif 000003
【図２】
2011056232.tif 000004
【図３】
2011056232.tif 000005
【図４】
2011056232.tif 000006
【図５】
2011056232.tif 000007
【図６】
2011056232.tif 000008
【図７】
2011056232.tif 000009
【図８】
2011056232.tif 000010
(57)【要約】      （修正有）【課題】耐水性素材の耳型キャップであり、風の強い日には耳のウインドブレーカとして埃の進入防止に役立ち、雨雪天には耳のカッパとして水分の進入防止に役立つ防止具を提供する。【解決手段】耳型キャップ１を左右それぞれに装着口からはめてリボン２を下顎にフィットするよう左右から巻きつけてマジックテープで留める。キャップと裏側の装着口ととリボンの長さに余裕を持たせたもの。【選択図】図１
2011056231.tif 000002
【特許請求の範囲】
『構造』
耐水性素材の耳型キャップにマジックテープ留めリボンから成る。
また、万人向けに合うようキャップと裏側の装着口とリボンの長さに余裕を持たせる。
『形状』
人の耳に合うよう耳の形をした耳型キャップであり左右のキャップを装着固定するマジックテープ留めリボンから成る。
【発明の詳細な説明】
『形状』
人の耳に合うよう耳の形をした耳型キャップであり左右のキャップを装着固定するマジックテープ留めリボンから成る。
『使い方』
耳型キャップを装着口から左右それぞれにはめてリボンを下顎にフィットするよう左右から巻き付けてマジックテープで留める。
日常的に使用する場合、風の強い日には、ウインドブレーカーとして雨雪天には、耳のカッパとして陽射しの強い日には、日焼け防止具として用いる。
このほか、キャップの外側をスポーツ等のチームカラーに合わせた配色にすることで屋内外を問わず野球やサッカー等のライブ観戦での応援アイテムとしても活用できる多用性に富んだキャップである。
なお、視聴覚障害者が使用する場合は、必ず保護者が監視のもとで用いる。
また、危険が予測される状況下での使用は、若干の聴力低下が考えられるため避ける。
使用後は、キャップ内外の汚れを軽く拭き取り衛生的に使用。
『効果』
耳に対しての乾燥保護や埃の侵入防止および水分の浸入防止と日焼け防止など。
または、スポーツのライブ観戦での応援向上など。
【図１】
2011056231.tif 000003
【図２】
2011056231.tif 000004
【図３】
2011056231.tif 000005
【手続補正書】
【提出日】平成21年12月28日(2009.12.28)
【手続補正３】
【補正対象書類名】明細書
【補正対象項目名】全文
【補正方法】変更
【補正の内容】
【発明の詳細な説明】
【技術分野】
【０００１】  日常的に使用する場合、風の強い日には、ウインド・ブレーカーとして雨雪天には、耳のカッパとして、陽射しの強い日には、日焼け防止具として用いる全天候型防具であり、このほか本体の外側をスポーツなどのチーム・カラーに合わせた配色にすることで屋内外を問わず野球やサッカー等のライブ観戦での応援アイテムとしても活用できるものである。
【背景技術】
【０００２】  過去に技術分野に記載した様に兼ねる物は無かった。
【先行技術文献】
類似実全昭６０−０６４７０２実全昭６２−００４２２２実全昭５１−０９８７９９
【発明の概要】
【発明が解決しようとする課題】
【０００３】  耳に対しての乾燥保護や埃の侵入防止および水分の浸入防止と日焼け防止としての全天候型防具および、スポーツなどのライブ観戦での応援アイテムなどのような物が従来無かった。
【課題を解決するための手段】
【０００４】  日常外出時およびスポーツのライブ観戦など
【発明の効果】
【０００５】  耳に対しての乾燥保護や埃の侵入防止および水分の浸入防止と日焼け防止または、スポーツのライブ観戦での応援向上など。
【図面の簡単な説明】
【０００６】
【図１】は、外側から見た側面図である。
【図２】は、内側から見た側面図である。
【図３】は、耳に装着した際の前面図である。
【発明を実施するための形態】
【符号の説明】
【０００７】１、は、プロテクター本体のキャップ２、は、リボン３、は、マジックテープ４、は、装着口
【手続補正４】
【補正対象書類名】特許請求の範囲
【補正対象項目名】全文
【補正方法】変更
【補正の内容】
【特許請求の範囲】
【請求項１】
耐水性素材の耳型キャップとマジックテープ留めリボンから成るが図２を見て解るように装着口が縦長なため耳の先から付け根にかけてスライド挿入して装着するため図３のように完全に耳を覆い隠す全天候型防具である。
【手続補正５】
【補正対象書類名】図面
【補正対象項目名】全図
【補正方法】変更
【補正の内容】
【図１】
2011056231.tif 000006
【図２】
2011056231.tif 000007
【図３】
2011056231.tif 000008
(57)【要約】【課題】  特願2008-309278の足裏電気マッサージ器が紹介されているが、小刻みの振動により、その振動の心地よさで、長時間使用し、その好影響で、健康を増進させるものであるが、その小刻みの部分が、モーター毎に違い、モーターの高速、低速に於いて振動がなくなていた。【解決手段】  従来の振子は、扇風機の羽根の基盤内に設置されていたが、羽根の基盤内で、車軸に垂直な面に長いボートーを複数固定し、このボートーの先に振子をつけて扇風機の基盤壁に、ボートーと振子を触れないよにした。【選択図】  図３
2011056149.tif 000002
【特許請求の範囲】
【請求項１】
モーター軸に振子を付けて、モーターを動かしたときに起こる振動を増幅し、モーターを支える外箱に付けた複数個の突起を通して身体にその振動を伝える器具のおいて、振子の固着方法でモーターの車軸に垂直な面につける振子を支えるボートーの長さをボートーの頭部から振子まで３ｃｍ〜１０ｃｍとする、モーターの振動を体に伝える器具。
【発明の詳細な説明】
【技術分野】
【０００１】
この発明は健康を増進する器具に関する。
【背景技術】
【０００２】
【特許文献１】特願2008-309278
【発明の開示】
【発明が解決しようとする課題】
【０００３】
今回の発明品は、モーター軸に振子を取り付けてモーターの振動を増幅し、この振動を使用するもので、モーターの回転数の高、低にかかわらず、広範囲にわたって安定したより心地の良い振動を得る為の方策である。
【０００４】
本発明は、より広範囲、より心地良い振動を得る為の策定の開発である。
【０００５】
従来の器具は、この器具の最大の使用目的である、小刻みの振動により、その振動の心地よさで、長時間使用し、その好影響で、健康を増進させるものであるが、その小刻みの
部分が、モーター毎に違い、モーターの高速、低速に於いて振動がなくなり、この小刻みの振動を広範囲で起こさせる必要があった。
【課題を解決するための手段】
【０００６】
従来の振子は、扇風機の羽根の基盤内に設置されていたが、羽根の基盤内で、車軸に垂直な面に長いボートーを複数固定し、このボートーの先に振子をつけて扇風器の基盤壁に、ボートーと、振子を触れないよにした。
【発明の効果】
【０００７】
モーターの回転の遅い時も、早い時も、ユックリした小刻みの心地よい振動が起きて、
この器具の使用効果が急激に向上した。
【０００８】
幾ら長時間でも、気持ちよく、飽くことなく使用出来る。
【０００９】
足裏の按摩は、今まで経験したことのない心地よさを得られる。
【００１０】
不眠症の人が睡魔に襲われた様になる。
【００１１】
９０％の人が、骨盤に異常があると言われているが、正常になる。
【００１２】
殆どの身体の異常は、骨盤の異常に関係していると言われているが、それが良くなる。
【００１３】
ギックリ腰より起こった重症の腰痛が治る。
【００１４】
通じが良くなり、飛び出して来る様になる。
【００１５】
長時間の精神統一が出来る。
【００１６】
食べ過ぎは、すぐにおさまる。
【発明を実施するための形態】
【００１７】
振子は、モーターの回転によって振子を取り付ける前に比べて大きな振動を起こすので、その振動を利用するため、１００Ｖ、４５Ｗ、回転数毎分１２５０回転のモーターで２５Ｗに調整し、扇風機の羽根を、基盤より１．８ｃｍの巾に調整し、モーターを支える外箱と、モーターを、不飽和ポリエステル樹脂と増量剤の混合物で、固着し、扇風機の基盤のモーター軸に垂直の面に、長さ６ｃｍ、太さ０．４ｃｍのボートー２本を固着し、ボートーの先端に重さ１５ｇの重量の振子を付け、車軸の後部に、蝋による温度調整装置を作った。
【図面の簡単な説明】
【００１８】
【図１】足裏振動機を上より見た図である。
【図２】足裏振動機の、外箱に取り付ける前の、モーター関連部を取り付けたもので    、モーター軸を水平にして、蝋による温度制御装置を横から見た図である。
【図３】足裏振動機を横から見た図である。
【図４】足裏振動機の、外箱に取り付ける前の、モーター関連部を取り付けたもので    、モーター軸を水平にして、蝋による温度制御装置を上より見た図である。
【符号の説明】
【００１９】
１  モーター
２  振子
３  突起
４  不飽和ポリエステル樹脂と、増量剤の粉末の混合物の固化物
５  外箱
６  温度制御装置のモーター軸押さえ部
７  温度制御装置のコイルバネ部
８  温度制御装置の蝋部
９  裏面が温度制御装置の蝋部
１０  モーターを固定する為の棒トウ（２本なるも突起では４本）
１１  モーターを固定する為の箱側の突起
１２  ７０℃の温度フューズ
１３  送風の羽根
１４  送風の羽根の基盤部
１５  温度制御装置のモーター軸を押さえる部分
１６  温度制御装置を解除する棒トウ
１７  振子を支えるボートー
【図１】
2011056149.tif 000003
【図２】
2011056149.tif 000004
【図３】
2011056149.tif 000005
【図４】
2011056149.tif 000006
(57)【要約】      （修正有）【課題】  竹及び木材をより効率よく粉砕してより安価に竹粉及び木粉を製造することの出来る回転機構と一体化された専用刃を提供するものである。【解決手段】  本発明は、回転駆動源の回転駆動作用下に所定方向に回転する回転切削機構に形成される切削刃とする。  回転切削機構は略円柱体によって構築されたものとし、回転切削刃を前記略円柱体の外周面に形成するものとする。  刃先の配列・角度・寸法・左右のねじれ角度及び枚数を各材質・求められる粉の大きさ・形状等毎に調整・交換可能であることを最も主要な特徴とする。【選択図】なし【特許請求の範囲】
【請求項１】
竹粉または木粉を製造するに当たり、刃そのもので各材を粉状にすることが出来、刃先の配列・角度・寸法・左右のねじれ角度及び枚数を材質毎に最適な仕様とすることで、容易な粉砕・粉はけの向上及び用途に応じた粉の大きさ・形状の最適化を可能とした竹粉・木粉製造装置における回転機構と一体化された切削刃。
【発明の詳細な説明】
【技術分野】
【０００１】  本発明は、竹材及び木材を粉状に粉砕する回転切削刃物である。
【背景技術】
【０００２】  現在、竹粉については、土壌改良材・昆虫や小動物の飼育床材・健康食品・野菜等の植物の苗床・家畜の飼料等に、木粉については、製紙原料、燃料チップ、畜舎の敷料等幅広い用途に利用されるため、特許文献１を始めとした多くの竹粉・木粉製造装置がある。
【先行技術文献】
【特許文献】
【０００３】
【特許文献１】特開２００５−２１８８８４公報
【発明の概要】
【発明が解決しようとする課題】
【０００４】  前述装置に欠かせないものとして、竹または木材を切削するための刃が必要となるが、従来の切削機構においては、チップ状に切削したものに衝撃を加えて粉砕するか、回転機構に市販の刃を取り付けただけのものしか無い。【０００５】  従って、効率性の向上のためには、刃先の配列・角度・寸法・左右のねじれ角度及び枚数を材質毎に最適な仕様とすることで、容易な粉砕・粉はけの向上及び用途に応じた粉の大きさ・形状の最適化を可能とした専用刃の存在が欠かせない。【０００６】  本発明は、このような課題に対応するために為されたもので、竹及び木材をより効率よく粉砕してより安価に竹粉及び木粉を製造することの出来る回転機構と一体化された専用刃を提供するものである。
【課題を解決するための手段】
【０００７】  上記目的を達成するために、本発明は、回転駆動源の回転駆動作用下に所定方向に回転する回転切削機構に形成される切削刃とする。【０００８】  回転切削機構は略円柱体によって構築されたものとし、回転切削刃を前記略円柱体の外周面に形成するものとする。【０００９】  本発明によれば、竹材用については、前記円柱体の外周面に計２８８枚の刃を備えるものとし、各刃先の配列を２ｍｍずらすこと及び各刃における左右のねじれ角度を３０°による複合刃に設定することで容易な粉砕を可能にし、更に、各刃の角度を６０°に設定することで粉はけを向上させている。【００１０】  上記各設定を、各材質・求められる粉の大きさ・形状等毎に調整・交換可能とすることで対応する。【００１１】  上記回転切削刃は、回転駆動源により回転駆動力が回転切削刃に伝達され、所定方向に回転することによって、竹及び木材の被加工部位が回転切削歯によって切削加工される。その際、刃先の配列・角度・寸法・左右のねじれ角度及び枚数を材質毎に最適な仕様とすることで、円滑に竹粉及び木粉が得られる。【００１２】  この結果、一旦チップ状に切削したものに衝撃を加えて粉砕する装置が不要となるため、従来の竹粉・木粉製造装置と比較して構造の簡略化が図られる他、効率化により作業スピードの向上が図れることからコストを大幅に削減することができる。
【発明の効果】
【００１３】  本発明により、竹及び木材をより効率よく粉砕し、より安価に竹粉及び木粉を製造する竹粉・木粉製造装置の開発に繋げることができる。
【図面の簡単な説明】
【００１４】
【図１】本発明の側面図・正面図及び竹粉用刃における刃先寸法・左右のねじれ角度を示す図面である。
【発明を実施するための最良の形態】
【００１５】  以下、本発明の実施の形態を図面に基づいて説明する。【００１６】  図１には、本発明の竹粉・木粉製造専用回転切削刃の一実施形態が示されている。【００１７】  まず、回転切削機構は、図１中側面図に示されるようにキー溝を有し、図示しない回転駆動源の図示しない駆動軸と同軸に連結され、図示しないキー溝に係合するキーを介して回り止めされている。【００１８】  次に、図示しない駆動軸の中心を中心軸として略円柱体が構築され、その略円柱体の外周面に露呈する切削刃が複数連なることにより、それぞれ回転切削歯としての機能を営む。【００１９】  被加工物である図示しない竹または図示しない木材を図示しない方法によって位置決めした後、図示しない電源を介して図示しない回転駆動源が付勢され、その回転駆動力が図示しない駆動軸を介して回転切削刃に伝達される。略円柱体の外周部に構築された回転切削刃は、図示しない駆動軸を回転中心点として図１中側面図記載矢印Ａ方向（反時計回り方向）に回転され、竹または木材に対する切削・粉砕加工が施される。【００２０】  本実施の形態では、切削・粉砕加工はミクロン単位（例えば、約１０μ〜３０μ）で行える他、竹または木材の材質毎に刃先の配列・角度・各刃における左右のねじれ角度及び枚数等を最適な仕様の切削刃に構築する際の設定が容易に出来、しかも組み合わせによって粉末の微粒子の大きさ、型状（例えば、平面、楔型、パーマ状等）をも変更することが出来る。【００２１】  また、刃先が劣化した場合は、図示しない駆動軸から取り外して簡便に再研磨することが出来る。
【産業上の利用可能性】
【００２２】  本発明により、竹及び木材をより効率よく粉砕し、より安価に竹粉及び木粉を製造する竹粉・木粉製造装置の開発に繋がる。
【図１】
2011056934.tif 000002
(57)【要約】【課題】本の開きの確保は可能であるが頁めくり、さし込みが難しい点がある。  本発明は、頁めくり、さし込みもしやすい本等押さえを提供する。【解決手段】本表紙を押さえられる重みのある土台の側面１箇所にソフト棒を固定し、ソフト棒の先端に押さえ部を設ける。【選択図】図２
2011056929.tif 000002
【特許請求の範囲】
【請求項１】
本表紙を押さえられる重みのある土台の側面１箇所にソフト棒を固定し、ソフト棒の先端に押さえ部を設けたことを特徴とする本等押さえ。
【発明の詳細な説明】
【技術分野】
【０００１】  本発明は、本等を手等で押さえていなくても見たい頁を開いた状態に保てる、本等押さえに関するものである。
【背景技術】
【０００２】  従来においては、本等の開きを確保するものは知られている。
【先行技術文献】
【０００３】
【特許文献１】  特開平９−１４２０５５号公報
【特許文献２】  特開平１０−１５７３３２号公報
【特許文献３】  特開平１０−３０５６７３号公報
【特許文献４】  特開２００２−２２５４７８号公報
【特許文献５】  特開２００９−３４９７７号公報
【発明の概要】
【発明が解決しようとする課題】
【０００４】  本の開きの確保は可能であるが、頁めくり、さし込みが難しい点がある。
本発明は、以上の問題点を解決するものである。
【課題を解決するための手段】
【０００５】  本表紙を押さえられる重みのある土台の側面１箇所にソフト棒を固定し、ソフト棒の先端に押さえ部を設ける。
本発明は、以上の構成よりなる本等押さえである。
【発明の効果】
【０００６】  本発明により、本等を手等で押さえていなくても見たい頁を開いた状態に保ち、頁めくり、さし込みがしやすくなる。
【図面の簡単な説明】
【０００７】
【図１】  本発明の斜視図
【図２】  本発明の使用状態を示す斜視図
【発明を実施するための形態】
【０００８】  以下、本発明の実施の形態を説明する。
（イ）本表紙を押さえられる重みのある土台（１）の側面１箇所に、ソフト棒（３）を固      定する。
（ロ）土台（１）の側面に固定したソフト棒（３）の先端に押さえ部（２）を設ける。
本発明は、以上の構成よりなり、本発明を使用する場合は、本の表表紙の上に土台（１）を適宜の箇所に置き、本の厚みに応じてソフト棒（３）を調節して、押さえ部（２）で見たい頁を押さえて使用する。さらに開き頁の上に、赤シート・透明シートを置き押さえ部（２）ではさみ、勉強・料理等の際に利用できる。
また、本以外に折込み書類等作製時の仮押さえとして利用もできる。
【符号の説明】
【０００９】  （１）土台、（２）押さえ部、（３）ソフト棒
【図１】
2011056929.tif 000003
【図２】
2011056929.tif 000004
(57)【要約】      （修正有）【課題】大径のボルト、ナットを締めたり、緩めたりするボックスソケットの為のラチェットハンドルは大きく、長く、重く、手持ちの工具箱に入りきれない物が多く、持ち運びに不便であり、且つ高価である。【解決手段】普段使っているラチェットレンチと本発明のアダプターが有れば大きく、長く、重いラチェットハンドルが無くとも同じ仕事ができる。当該アダプターは小さく、短く、軽くしかも安価である。アダプター７をラチェットレンチ９に装着してロックナット８を掛けて、締めることで、従来と同じ仕事が出来る。【選択図】図２
2011056653.tif 000002
【特許請求の範囲】
【請求項１】
上下に伸びたセンターライン上に、上から順に、蝶ナット・平ワッシャー・全ネジボルト・正六角柱・薄い円板・正四角柱を配置して、一つは蝶ナットと平ワッシャーをそれぞれのセンターラインを合わせてくっつけて一体の物とする、他方は全ネジボルトと正六角柱と薄い円板と正四角柱のそれぞれのセンターラインを合わせてくっつけて一体の物とする、この二つのそれぞれの形状であることを特徴とするラチェットレンチのアダプター。
【請求項２】
上記請求項１記載の二つ形状の物の組み合わせであることを特徴とするラチェットレンチのアダプター。
【請求項３】
上下に伸びたセンターライン上に、上から順に、正六角柱・薄い円板・正四角柱を配置して、それぞれのセンターラインを合わせてくっつけて一体にした形状であることを特徴としたラチェットレンチのアダプター。
【請求項４】
上記請求項３記載の一体にした形状のその全体又は一部を磁性体としたことを特徴とするラチェットレンチのアダプター。
【請求項５】
上記、請求項１及び請求項３記載の正六角柱の部分は正六角柱であることに限らず、正三角柱又は四角柱又は五角柱又は七角柱又は八角柱又は九角柱又は二十四角柱であっても、ラチェットレンチの作用口にピタリと嵌合する形であれば、その中のどの形の角柱でもよい。
【請求項６】
上記、請求項１及び請求項３記載の正六角柱の大きさは市販されているラチェットレンチの作用口の大きさに依るが大体において１０ｍｍ〜５０ｍｍのどの大きさでもよい。
【請求項７】
上記、請求項１及び請求項３記載の正四角柱の部分は、ソケットの四角穴に嵌入されてソケットをピタリと固定する物で差込角と呼称されるが、その大きさは６．３５ｍｍ（四分の一インチ）、９．５ｍｍ（八分の三インチ）、１２．７ｍｍ（二分の一インチ）、１９．０ｍｍ（四分の三インチ）、２５．４ｍｍ（一インチ）の五種類のサイズがあるが、そのどれでもよい。
【請求項８】
上記請求項１記載の蝶ナットは、蝶ナットであることに限らず、他の形のナットでもよい。
【発明の詳細な説明】
【技術分野】
【０００１】  本願発明はラチェットレンチにアダプターとして装着することにより、該ラチェットレンチがソケットレンチのハンドルと同じ仕事をすることができる事に関する。
【背景技術】
【０００２】  既に、柱状の一端を六角形にしてラチェットレンチの作用口に嵌入し、他端を四角形にしてソケットボックスの四角穴に嵌入してボルトナットの締め緩め作業を行う技術（実用新案公開  平６−２１８５５）がある、他にも特許公開２０００−２３７９６６などがあるが、当該発明とは部品の配置の順番、形状、固定方法、大きさ等の点が違う。
【発明の開示】
【発明が解決しようとする課題】
【０００３】  ソケットレンチのハンドルは、特に大径ボルト用は、大きく重く手持ちの工具箱に入りきれない物が多く持ち運びに不便であり又高価でもある。【０００４】  しかし、本願発明のアダプターはソケットレンチのハンドルよりもずっと小さく軽く又安価に市場に送り出すことができる。
【課題を解決するための手段】
【０００５】  図１の符号７の形状のアダプターをラチェットレンチの作用口にボルトの方から挿入してアダプターの六角柱部とラチェットレンチの作用口が嵌合して合致して、ラチェットレンチの他の作用口から突出したボルトに蝶ナットを掛けて締めてアダプターを固定するとラチェットハンドルと同じ仕事をすることができる。【０００６】  更に、図４の符号１３の形状のアダプターの六角側をラチェットレンチの作用口に嵌入すると、磁力でラチェットレンチと吸着されて、ラチェットハンドルと同じ仕事をすることができる。
【発明の効果】
【０００７】  本発明のアダプターはラチェットハンドルと比べて、小さく軽量であり手持ちの工具箱に入れて簡単に持ち回りができる。【０００８】  形状があまり複雑ではないのでラチェットハンドルよりも安価に供給できる。
【発明を実施するための最良の形態】
【０００９】  図３の符号１０の様に本発明のアダプターをラチェットレンチに嵌入固定して、ラチェットハンドルの代用として使用するのが最良の形態である。
【図面の簡単な説明】
【００１０】
【図１】本発明のアダプターの形状−蝶ナットタイプ
【図２】本発明のアダプターとラチェットレンチ−装着前
【図３】本発明のアダプターとラチェットレンチ−装着状態
【図４】本発明のアダプターの形状−磁石タイプ
【図５】本発明のアダプターのラチェットレンチとの嵌合部が五角柱の場合
【図６】本発明のアダプターのラチェットレンチとの嵌合部の色々な形
【符号の説明】
【００１１】１    正四角柱（差込角）
２    円板
３    正六角柱
４    全ネジボルト
５    平ワッシャー
６    蝶ナット
７    本発明のアダプター
８    ロックナット
９    ラチェットレンチ
１０  本発明のアダプターの装着図
１１  本発明のアダプター装着の断面図
１２  円板
１３  本発明のアダプター（磁石タイプ）
１４  本発明のアダプター（嵌合部が五角柱のタイプ）
１５  本発明のアダプター（嵌合部が五角柱のタイプ、磁石タイプ）
１６  本発明のアダプターの嵌合部形状の種類−正三角柱
１７  本発明のアダプターの嵌合部形状の種類−四角柱
１８  本発明のアダプターの嵌合部形状の種類−五角柱
１９  本発明のアダプターの嵌合部形状の種類−正六角柱
２０  本発明のアダプターの嵌合部形状の種類−七角柱
２１  本発明のアダプターの嵌合部形状の種類−八角柱
２２  本発明のアダプターの嵌合部形状の種類−九角柱
２３  本発明のアダプターの嵌合部形状の種類−二十四角柱
２４  ボックスソケット
【図１】
2011056653.tif 000003
【図２】
2011056653.tif 000004
【図３】
2011056653.tif 000005
【図４】
2011056653.tif 000006
【図５】
2011056653.tif 000007
【図６】
2011056653.tif 000008